【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
非晶質炭酸カルシウム（ＡＣＣ）を調製する方法であって、
（ｉ）ＡＣＣ懸濁液を形成するように可溶性カルシウム塩と第１の安定化剤を含む水溶液を可溶性炭酸塩を含む水溶液と混ぜ合わせる工程と
（ｉｉ）第２の安定化剤と有機溶媒がその形成の約２分以内に前記ＡＣＣ懸濁液と接触し、それによってＡＣＣの安定化された懸濁液を得る限り、任意の順で同時に又は順次、水混和性有機溶媒及び第２の安定化剤を含む水溶液を添加する工程を含み、
第１の安定化剤と第２の安定化剤は同一であり又は異なっており；
安定化剤の総量が安定化されたＡＣＣ懸濁液の約１２重量％までを構成し、水混和性有機溶媒が安定化されたＡＣＣ懸濁液の少なくとも約５重量％を構成する方法。
【請求項２】
（ｉ）可溶性カルシウム塩と第１の安定化剤を含む水溶液を調製する工程と、
（ｉｉ）可溶性炭酸塩を含む水溶液を調製する工程と、
（ｉｉｉ）第２の安定化剤を含む水溶液を調製する工程と、
（ｉｖ）水混和性有機溶媒を含む溶液を調製する工程と、
（ｖ）ＡＣＣ懸濁液を形成させるように、工程（ｉｉ）で調製した溶液を工程（ｉ）で調製した溶液と混ぜ合わせ、その後、これらの溶液がその形成の約２分以内に前記ＡＣＣ懸濁液と接触し、それによってＡＣＣの安定化された懸濁液を得る限り、任意の順で同時に又は順次、工程（ｉｉｉ）及び（ｉｖ）で調製した溶液を添加する工程を含む請求項１に記載の方法。
【請求項３】
（ｉ）可溶性カルシウム塩と第１の安定化剤を含む水溶液を調製する工程と、
（ｉｉ）可溶性炭酸塩を含む水溶液を調製する工程と、
（ｉｉｉ）水混和性有機溶媒中で第２の安定化剤の溶液を調製する工程と、
（ｉｖ）ＡＣＣ懸濁液を形成させるように、工程（ｉ）及び（ｉｉ）で調製した溶液を混ぜ合わせ、その後、安定化されたＡＣＣの懸濁液を形成させるようにその形成の約２分以内にＡＣＣ懸濁液に工程（ｉｉｉ）で調製した溶液を添加する工程を含む請求項１に記載の方法。
【請求項４】
（ｉ）可溶性カルシウム塩と第１の安定化剤を含む水溶液を調製する工程と、
（ｉｉ）可溶性炭酸塩を含む水溶液を調製し、工程（ｉ）の前記カルシウム塩と混ぜ合わせ、それによってＡＣＣの懸濁液を得る工程と、
（ｉｉｉ）第２の安定化剤の水溶液を調製し、それによって安定化溶液を得る工程と、
（ｉｖ）前記安定化溶液を前記ＡＣＣの懸濁液と混ぜ合わせる工程と、
（ｖ）水混和性有機溶媒を添加する工程を含み、
安定化溶液及び有機溶媒は、安定化されたＡＣＣの懸濁液を形成させるようにその形成の約２分以内にＡＣＣ懸濁液に添加される請求項１に記載の方法。
【請求項５】
前記カルシウム塩が塩化カルシウムであるか、または
前記カルシウム塩と前記炭酸塩が約０．５〜約２．０のモル比で存在するか、または
可溶性カルシウム塩溶液の濃度が約４ｍＭ〜約２Ｍであり、可溶性炭酸塩溶液の濃度が約４ｍＭ〜約２Ｍであるか、または
前記第１と第２の安定化剤が異なるか、または
前記第１の安定化剤及び前記第２の安定化剤が同一であるか、または
第２の安定化剤と水混和性有機溶媒を添加する工程が約−１０℃〜約６０℃の間、好ましくは約−３℃〜常温の間、さらに好ましくは約０℃〜約１５℃の間の温度で実施されるか、または
第１の安定化剤が２以上の安定化化合物の組み合わせを含むか、または
第２の安定化剤が２以上の安定化化合物の組み合わせを含むか、または
前記可溶性炭酸塩がアルカリ炭酸塩又は炭酸アンモニウムであり、好ましくは前記アルカリ炭酸塩が、炭酸リチウム、炭酸ナトリウム又は炭酸カリウムであるか、または
前記水混和性有機溶媒が低級アルコール類及びケトン類から成る群から選択され、好ましくは水混和性有機溶媒が、メタノール、エタノール、プロパノール、イソプロピルアルコール、アセトン、ジエチルケトン及びシクロヘキサノンから成る群から選択され、好ましくは水混和性有機溶媒がエタノールである請求項１に記載の方法。
【請求項６】
第１と第２の安定化剤がそれぞれ独立して有機酸、リン酸化有機酸、ヒドロキシカルボン酸のリン酸エステル、ヒドロキシカルボン酸の硫酸エステル、リン酸化アミノ酸及びその誘導体、及びアルカリ水酸化物と組み合わせたヒドロキシを持つ有機化合物から成る群から選択される請求項１に記載の方法。
【請求項７】
第１と第２の安定化剤の少なくとも一方がアスコルビン酸、酢酸及び少なくとも２つのカルボキシル基及び２５０ｇ／モル以下の分子量を有する有機酸から選択される有機酸であり、好ましくは第１と第２の安定化剤の少なくとも一方がクエン酸、酒石酸及びリンゴ酸から選択されるか、または
第１と第２の安定化剤の少なくとも一方が、ヒドロキシカルボン酸のリン酸エステル、ヒドロキシカルボン酸の硫酸エステル、リン酸化アミノ酸誘導体、又はアミノ酸硫酸エステルであり、好ましくは第１と第２の安定化剤の少なくとも一方が、ホスホエノールピルビン酸、ホスホクレアチン、ホスホセリン、ホスホスレオニン、スルホセリン、及びスルホスレオニンから選択されるか、または
第１と第２の安定化剤の少なくとも一方が、アルカリ水酸化物と組み合わせたヒドロキシを持つ有機化合物であり、ヒドロキシを持つ有機化合物が、単糖類、二糖類、三糖類、オリゴ糖類又は多糖類；及び非リン酸化でヒドロキシルを持つ化合物、好ましくは非リン酸化アミノ酸から選択され、好ましくは第１と第２の安定化剤の少なくとも一方が、グルコース、マンノース、フルクトース、スクロース、グリセロール、セリン及びスレオニンから成る群から選択され、アルカリ水酸化物が水酸化ナトリウム及び水酸化カリウムから選択されるか、または
第１と第２の安定化剤の少なくとも一方が、アルカリ金属水酸化物と組み合わせたポリオール、リン酸化アミノ酸、アミノ酸硫酸エステル、ジカルボン酸、トリカルボン酸、アルカリ金属水酸化物と組み合わせた非リン酸化でヒドロキシルを持つ化合物及びそれらの組み合わせから成る群から選択され、安定化されたＡＣＣの前記懸濁液における安定化剤の総量が約１〜約１０００ｍＭであるか、または
第１と第２の安定化剤の少なくとも一方がリン酸化アミノ酸であり、安定化されたＡＣＣの前記懸濁液におけるその総濃度が約２〜約２００ｍＭであるか、または
第１と第２の安定化剤の少なくとも一方がクエン酸であり、安定化されたＡＣＣの前記懸濁液におけるその総濃度が約１〜約２００ｍＭであるか、または
第１と第２の安定化剤の少なくとも一方がアルカリ金属水酸化物と組み合わせたポリオール又はアルカリ金属水酸化物と組み合わせた非リン酸化でヒドロキシルを持つアミノ酸であり、安定化されたＡＣＣの前記懸濁液におけるポリオール又はアミノ酸の総濃度が約１０ｍＭ〜約１０００ｍＭであり、安定化されたＡＣＣの前記懸濁液における水酸化物の総濃度が約１ｍＭ〜約２０００ｍＭの間である請求項６に記載の方法。
【請求項８】
安定化されたＡＣＣの前記懸濁液から前記ＡＣＣを分離し、乾燥させ、それによって安定なＡＣＣの粉末を得る工程をさらに含み、
好ましくは
分離する工程が、濾過又は遠心を含み、乾燥させる工程が加熱又は凍結乾燥を含むか、または
安定なＡＣＣの前記粉末が約１５重量％未満の水分、好ましくは約８重量％未満の水分、及び約３０〜約３５重量％の間のカルシウムを含む請求項１に記載の方法。
【請求項９】
（ｉ）約１Ｍまでの濃度での塩化カルシウムと１モルの塩化カルシウム当たり約１〜約８０ミリモルの安定化剤の水溶液を調製する工程と、
（ｉｉ）工程（ｉ）の塩化カルシウムと同じモル濃度での炭酸ナトリウムの水溶液を調製し、それを工程（ｉ）の前記カルシウム溶液と混ぜ合わせ、それによってＡＣＣの懸濁液を得る工程と、
（ｉｉｉ）工程（ｉ）の塩化カルシウムの１モル当たり約３５０ｇのエタノール及び工程と（ｉ）と同じであるが、量が２倍である安定化剤を含む安定化溶液を調製する工程と、
（ｉｖ）安定化溶液をその形成の約２分以内にＡＣＣの前記懸濁液と混ぜ合わせ、それによってＡＣＣの安定化された懸濁液を得る工程を含み、
好ましくは
工程（ｉ）及び工程（ｉｉｉ）における前記第１と第２の安定化剤がそれぞれ、カルシウム１モル当たり約６ミリモルと約１２ミリモルの量でのホスホセリンであり、前記方法がさらに、ＡＣＣの前記懸濁液を濾過し、約４０℃〜約５０℃の間の温度で真空乾燥させることを含むか、または
前記第１と第２の安定化剤が、工程（ｉ）におけるカルシウム１モル当たり約７０ミリモルのスクロースと約１００ミリモルのＮａＯＨ及び工程（ｉｉｉ）におけるカルシウム１モル当たり約１４０ミリモルのスクロースと約２００ミリモルのＮａＯＨの量での水酸化ナトリウムを伴ったスクロースであり、前記方法がさらに遠心又は凍結乾燥によってＡＣＣを単離することを含む請求項１に記載の方法。
【請求項１０】
水性混合物にて塩化カルシウムとアルカリ炭酸塩とリン酸化有機酸とアルコールを混ぜ合わせ、それによってそれによって約２．５〜約５重量％の間のＡＣＣ、約０．００１〜約０．２重量％の間のリン酸化有機酸、及び約８〜約３２重量％の間のエタノールを含有する安定化させたＡＣＣの懸濁液を得ることを含むか、または
水性混合物にて塩化カルシウムとアルカリ炭酸塩とジカルボン酸又はトリカルボン酸とアルコールを混ぜ合わせ、それによって約２．５〜約５重量％の間のＡＣＣ、約０．００１〜約０．２重量％の間のジカルボン酸又はトリカルボン酸、及び約８〜約３２重量％の間のエタノールを含有する安定化させたＡＣＣの懸濁液を得ることを含むか、または
水性混合物にて塩化カルシウムとアルカリ炭酸塩とジカルボン酸又はトリカルボン酸、リン酸化有機酸とアルコールを混ぜ合わせ、それによって約２．５〜約５重量％の間のＡＣＣ、約０．００１〜約０．２重量％の間のジカルボン酸又はトリカルボン酸及びリン酸化有機酸、及び約８〜約３２重量％の間のエタノールを含有する安定化させたＡＣＣの懸濁液を得ることを含むか、または
水性混合物にて塩化カルシウムとアルカリ炭酸塩と水酸化ナトリウムを伴ったスクロースとアルコールを混ぜ合わせ、それによって約２．５〜約５重量％の間のＡＣＣ、約１〜約４重量％の間のスクロース、約０．５重量％の水酸化物及び約１０〜約１５重量％の間のエタノールを含有する安定化させたＡＣＣの懸濁液を得ることを含むか、または
水性混合物にて塩化カルシウムとアルカリ炭酸塩と水酸化ナトリウムを伴った非リン酸化でヒドロキシルを持つアミノ酸とアルコールを混ぜ合わせ、それによって約２．５〜約５重量％の間のＡＣＣ、約１〜約４重量％の間の非リン酸化でヒドロキシルを持つアミノ酸、約０．５重量％の水酸化物及び約１０〜約１５重量％の間のエタノールを含有する安定化させたＡＣＣの懸濁液を得ることを含むか、または
水性混合物にて塩化カルシウムと炭酸塩ナトリウムと非リン酸化でヒドロキシルを持つアミノ酸と糖類と水酸化ナトリウムとアルコールを混ぜ合わせ、それによって約２．５〜約５重量％の間のＡＣＣ、約１〜約４重量％の間の非リン酸化でヒドロキシルを持つアミノ酸と糖類の合計、約０．５重量％の水酸化物及び約１０〜約１５重量％の間のエタノールを含有する安定化させたＡＣＣの懸濁液を得ることを含む請求項１に記載の方法。
【請求項１１】
懸濁液からＡＣＣを分離し、乾燥させ、それによって約７５〜約８８重量％の間のＣａＣＯ３と約１０重量％未満の水分を含む安定なＡＣＣの粉末を得る工程をさらに含む請求項１０に記載の方法。
【請求項１２】
約２．５〜約５重量％の間のＡＣＣ、約０．０５〜約０．２重量％の間のリン酸化有機酸及び約１０〜約１５重量％の間のエタノールを含むか、または
約２．５〜約５重量％の間のＡＣＣ、約０．０５〜約０．２重量％の間の有機酸及び約１０〜約１５重量％の間のエタノールを含むか、または
約２．５〜約５重量％の間のＡＣＣ、約１〜約４重量％の間の糖類、約０．５重量％の水酸化物及び約１０〜約１５重量％の間のエタノールを含有するか、または
約２．５〜約５重量％の間のＡＣＣ、約１〜約４重量％の間の非リン酸化でヒドロキシルを持つアミノ酸、約０．５重量％の水酸化物及び約１０〜約１５重量％の間のエタノールを含有する請求項１の方法に従って製造される安定化させたＡＣＣの懸濁液。
【請求項１３】
約７５〜約８８重量％の間のＣａＣＯ３、約１０重量％未満の水分及びリン酸化有機酸を含むか、または
約７５〜約８８重量％の間のＣａＣＯ３、約１０重量％未満の水分及び有機酸を含むか、または
約７５〜約８８重量％の間のＣａＣＯ３、約１０重量％未満の水分及び約１〜約５重量％の間の糖類を含むか、または
約７５〜約８８重量％の間のＣａＣＯ３、約１０重量％未満の水分及び約１〜約５重量％の間の非リン酸化でヒドロキシルを持つアミノ酸を含む請求項１の方法に従って製造される安定なＡＣＣの粉末。
【請求項１４】
染料、紙製品、プラスチック、インク、接着剤、大理石修復製品、医療機器、医薬品、食品補完剤及び／又は食品添加物における請求項１２または１３に記載の懸濁液又は粉末の使用。